(57)【要約】【課題】ポリ容器等ごみ箱と常に一体的に使われるポリ袋が、普通の家庭では、屋内のどこか別の離れた場所に収納されているため、取り替え用ポリ袋が必要になったときに、ごみ箱の近くに無いという不便さがあった。【解決手段】ポリ袋をホルダーに収納して、それに取付け具を設け、ポリ容器等ごみ箱の外壁に装着する。【選択図】　　図１
2004018266.tif 000002
【特許請求の範囲】
【請求項１】
折り畳まれたポリ袋又はロール状に巻かれたポリ袋を収納又は支持する支持体、又は前記支持体をその一部分とする器具又は容器と、
ポリ容器等ごみ箱の開口部縁凸部に嵌装できる構造を有し、かつ、前記ごみ箱の蓋を閉める際にも支障を生じない厚みなどの構造を有する、線状の鉤フック又は面的な溝構造を有する嵌着取付け具、或いは前記ごみ箱外壁に取り付けできる構造を有する、粘着シート、吸盤、又は磁石その他を利用した取付け具とからなるポリ袋ホルダー。
【請求項２】
前記折り畳まれたポリ袋を支持する支持体が、袋状その他容器形状であるもの、又は、ポリ袋を懸けるための竿体であるもの、並びに、前記ロール状に巻かれたポリ袋を支持する支持体が、ロール状ポリ袋を収納する容器形状であるもの、又はロール状ポリ袋の両端に軸棒を差し込むか又は軸棒を貫通させることにより、前記ロール状ポリ袋が軸棒を中心に回転できるようにしたポリ袋支持器具である請求項１記載のポリ袋ホルダー。
【発明の詳細な説明】
【０００１】
【発明の属する技術分野】
本発明は、ポリ容器等ごみ箱の外壁に装着するポリ袋ホルダーに関する。
【従来の技術】
従来のポリ袋ホルダーにおいては、ポリ袋収納袋体の下端部にポリ袋の取り出し開口を形成した、壁面装着用のもの（例えば、実用公開昭６１−１１７１４６号公報参照）、或いは、ごみ箱の内部に装着したもの（例えば、実用公開昭６１−７４５７５号公報参照）がある。
【０００３】
【発明が解決しようとする課題】
ポリ容器等のごみ箱は、普通、屋外に設置されているが、一方、ポリ袋は、屋内のどこかの場所に収納されているか、置かれている。また、その収納場所は、家族の中で、主婦だけしか知らないという家庭も多くある。
このような家庭において、ごみ箱の中がいっぱいになり、ポリ袋を交換する必要が生じた時、手元にポリ袋がないために、つい、新しいポリ袋をごみ箱に装填するのを忘れてしまうことが多い。また、その時になって、新しいポリ袋を屋内に取りに戻らなければならず、結構、面倒と感じるなどの問題点があった。
【０００４】
本発明は、ごみ箱と常に一体的に使用するものであるポリ袋を、ホルダーに収納して、ポリ容器等ごみ箱容器外壁に、取付け手段を用いて装着しておくことにより、ポリ袋が必要になったとき、取り替え用ポリ袋が、当該ごみ箱の外壁にいつもあるように用意しておくためのポリ袋ホルダーを得ることを目的としている。
【０００５】
【課題を解決するための手段】
上記目的を達成するために、本発明のポリ袋ホルダーにおいては、ポリ袋ホルダーを、鉤フック、粘着シート、粘着シートフック、吸盤、磁石等の請求項１記載の取付け具を用いて、ポリ容器等ごみ箱外壁に装着するようにしたものである。
【０００６】
前記取付け具は、ポリ袋ホルダーに装着する方法と、ポリ容器等ごみ箱に装着する方法があるが、いずれの場合も、ポリ袋ホルダーを、ポリ容器等ごみ箱に装着する手段であることに変わりはない。
【０００７】
鉤フックを用いて装着する場合、鉤フックは、ポリ容器等ごみ箱の開口部縁に一方が懸かるようにし、他の一方をポリ袋ホルダーに取り付けるように構成するとよい。この際、当該鉤フックの鉤部分は、前記開口部縁凸部と前記ごみ箱蓋との間の間隙に無理なく、ピッタリと納まる形状にしておくことが必要である。
【０００８】
粘着シートを利用した取付け具を用いる場合、ポリ袋ホルダーの裏側一部と、ポリ容器等ごみ箱外壁とを装着するように用いるとよい。
【０００９】
粘着シートフックを用いて装着する場合、粘着シートフックの粘着シート側をポリ容器等ごみ箱外壁に粘着接着させ、フックの方に、ポリ袋ホルダーを懸ける構造にするとよい。
【００１０】
吸盤を用いて装着する場合、ポリ袋ホルダーの裏側を、予め、吸盤取付け柄を取付けられる構造に製作しておき、それに吸盤を取付けた後、ポリ容器等ごみ箱外壁の平坦な部分に吸盤を吸着させて取付けるとよい。
【００１１】
磁石を用いて装着する場合、ポリ容器等ごみ箱外壁側に磁石又は鉄片を、またポリ袋ホルダー裏側一部に鉄片又は磁石を装着して、その両面を接着させる方法が考えられる。
【００１２】
ポリ袋を収納又は支持する支持体の構造については、種々考えられる。例えば、折り畳まれたポリ袋を収納又は支持する支持体の構造としては次のような構造が考えられる。
（１）　単純に、袋、或いは、容器に収納するもの。
（２）　前記袋、或いは、容器の一部のみを開口して、ポリ袋の取り出し口にし
たもの。
（３）　前記ポリ袋を適当な枚数重ね、二つ折りになるように竿に懸け、竿の両端を支持体で支持し、ポリ袋を吊下げる状態に保持したもので、ポリ袋を使用するときは、二つ折りに折れた稜線部分を指で摘むと、非常にスムーズに一枚ずつ取り出すことができる。
また、この構造の全体または一部を袋又は容器で覆う構造も考えられる。
【００１３】
また、ロール状に巻かれたポリ袋を収納又は支持する支持体の構造としては、次のようなものが考えられる。
（１）　単純に、袋、或いは、容器に収納するもの。
（２）　ロール状ポリ袋を収納した容器に細長い間隙を設け、その間隙からロール状ポリ袋の一端をのぞかせ、ポリ袋を使用するときは、前記一端を引張ることによりロールを回転させながらポリ袋を引き出せるように構成したもの。
（３）　ロール状ポリ袋の両端に軸棒を差し込むか又は軸棒を貫通させ、前記軸棒を支持する支持体を設け、ロール状ポリ袋の一端を引張ると、ロールが軸棒を中心に回転して、ポリ袋を引張り出せるように構成したもの。
【００１４】
【発明の実施の形態】
発明の実施の形態を実施例にもとずき図面を参照して説明する。
図１に示される実施例では、折り畳まれたポリ袋又はロール状に巻かれたポリ袋を収納するポリ袋支持体（３）に、ポリ容器（１）の開口部縁凸部（２）に嵌装できる構造を有し、かつ、前記ポリ容器の蓋（５）を閉める際にも支障を生じない厚みなどの構造を有する、溝構造を持つ嵌着取付け具（４）を装着している。
当実施例では、プラスチック製の籠状収納箱を、ポリ袋支持体（３）としている。
【００１５】
図２（ａ）は、図１（ｂ）において嵌着取付け具（４）を通る「Ａ−Ａ」縦断面図である。嵌着取付け具（１０）の溝凹部（１１）は、ポリ容器開口部縁凸部（７）とポリ容器蓋（８）の間にある隙間に円滑に納まるので、ポリ容器蓋の着脱には支障を生じない。図２（ｂ）は、図２（ａ）において、嵌着取付け具溝凹部を通る「Ｂ−Ｂ」横断面図である。
【００１６】
図３に示される実施例では、折り畳まれたポリ袋を二つ折にして懸ける竿体をポリ袋支持体（１２）とし、前記支持体を一部分とする器具（１４）に、鉤フック（１５）を取付けている。前記鉤フックは、ポリ容器開口部縁凸部とポリ容器蓋の間の隙間に円滑に納まる厚み、形状をもたせたものとしている。
【００１７】
【発明の効果】
本発明は、以上説明したように構成されているので、以下に記載されるような効果を奏する。
【００１８】
通常、人は、ごみ箱の中に、今どの程度の量のごみが収納されているかということは気にせずに、ごみをごみ箱に捨てに行くものである。そして、ごみ箱の蓋を開けて見て、ポリ袋にごみが既にいっぱいになっていることに気ずくことが多い。当然、取り替え用のポリ袋の用意はしていないから、ポリ袋を家の中に取りに戻らなければなないが、忙しいときには、ついそのままになってしまい、次にごみを捨てにいくまで、そのまま捨て置かれることが多いものである。また、取り替え用のポリ袋を家に中に取に戻るのも結構、面倒なものである。
このようなとき、本発明の「ごみ箱に取り付けるポリ袋ホルダー」がごみ箱に取り付けてあれば、必要なとき、いつでも、その場でポリ袋を取り替えることができるため、大変便利である。
【図面の簡単な説明】
【図１】（ａ）籠状のポリ袋支持体と嵌着取付け具からなる実施例を示すポリ袋ホルダーを、蓋をしていないポリ容器の開口部縁凸部に装着した斜視図である。
（ｂ）同上の、蓋をした状態の斜視図である。
【図２】（ａ）図１（ｂ）において、嵌着取付け具を通る「Ａ−Ａ」縦断面図である。
（ｂ）図２（ａ）において、嵌着取付け具溝凹部を通る「Ｂ−Ｂ」横断面図である。
【図３】（ａ）竿体をポリ袋支持体とし、鉤フックを取付けたポリ袋ホルダーの実施例を示す斜視図である。
（ｂ）同上の平面図である。
（ｃ）
同上の「Ｃ−Ｃ」縦断面図である。
【符号の説明】
１　ポリ容器
２、７　ポリ容器開口部縁凸部
３、１２　ポリ袋支持体
４、１０　嵌着取付け具
５、８　ポリ容器蓋
６　ポリ容器外壁
９　ポリ袋支持体の一部
１１　嵌着取付け具の溝凹部
１３　折り畳まれたポリ袋
１４　ポリ袋支持体を一部分とする器具
１５　鉤フック
【図１】
2004018266.tif 000003
【図２】
2004018266.tif 000004
【図３】
2004018266.tif 000005